(57)【要約】【課題】  創傷の保護に役立ち、しかも簡便に使用できる創傷プロテクタを提供する。【解決手段】  創傷プロテクタＡは、創傷Ｐを囲繞できる周縁１を有し周縁１の内側が創傷Ｐに間隙２を隔てる凹面３である被覆部４と、被覆部４から延出し創傷Ｐの周囲の皮膚Ｓに貼付けられる皮接部５とを、一体に接合したものである。被覆部４の凹面３は、創傷Ｐに接触することがないので、創傷プロテクタＡが創傷Ｐに癒着するのを未然に防止することができる。【選択図】  図１
2007044103.tif 000002
【特許請求の範囲】
【請求項１】
創傷を被覆する創傷プロテクタであって、前記創傷に重ね合され前記創傷に間隙を隔てる凹面を有する被覆部と、該被覆部から延出し前記創傷の周囲に貼付けられる皮接部とを、一体に接合したことを特徴とする創傷プロテクタ。
【請求項２】
前記間隙に空気を導入する通気孔を、前記被覆部に設けたことを特徴とする請求項１に記載の創傷プロテクタ。
【請求項３】
前記通気孔を通気性フィルムで塞いだことを特徴とする請求項２に記載の創傷プロテクタ。
【請求項４】
前記被覆部が通気性フィルムから成ることを特徴とする請求項１に記載の創傷プロテクタ。
【請求項５】
開放端を有する中空頭部に、前記開放端の周縁から延出する鍔を設けた略ハット形の本体を備え、前記中空頭部の開放端が創傷に重ね合わせられ、前記鍔に、前記創傷の周囲に粘着する粘着面が形成されたことを特徴とする創傷プロテクタ。
【発明の詳細な説明】
【技術分野】
【０００１】
本発明は、例えば擦り傷、刺し傷、又は切り傷等の比較的軽度の創傷を保護する創傷プロテクタに関する。
【背景技術】
【０００２】
軽い擦り傷等を治療するのに、絆創膏を皮膚に直に貼付け、又は創傷を被う包帯や滅菌ガーゼを粘着テープを用いて皮膚に貼付けることがある。この場合、ガーゼ等が創傷に癒着するという問題が起こる。また、創傷に癒着したガーゼ等を無理に剥がすと、創傷が悪化しその治癒が遅れるという問題がある。そこで、創傷にガーゼ等が接触しないように、ガーゼ等を創傷から予め浮上らせておく試みがある。
【０００３】
例えば、特許文献１は、創傷に重ねられる網体の周縁部を、粘着面を有する弾性パッドを介して皮膚に貼付ける技術を開示している。特許文献２は、粘着テープを用いて皮膚にガーゼを貼付けるときに、粘着テープが創傷を強く押えないように、湾曲した支持体を創傷に重ねることにより、粘着テープを創傷から浮上らせる技術を開示している。特許文献３は、通気穴を有するカバーを創傷に被せ、このカバーをバンドを用いて皮膚に貼付ける技術を開示している。
【特許文献１】実開平２−１２３２２２号公報
【特許文献２】実開昭６３−８５２２９号公報
【特許文献３】特開昭５８−１１８７５２号公報
【発明の開示】
【発明が解決しようとする課題】
【０００４】
しかしながら、特許文献１から３に記されたように、従来は、創傷を被う保護部材（網体、支持体、又はカバー）と、保護部材を皮膚に貼付ける固定部材（弾性パッド、粘着テープ、又はバンド）との両方が不可欠なので、それぞれの準備に手間を要する。また、保護部材と固定部材とを別個にしている理由として、保護部材にはある程度の剛性が必要であるのに対し、固定部材には皮膚に馴染み易い柔軟性が求められるため、これらを単一の素材で両立するのは難しいことが挙げられる。
【０００５】
また、従来は、保護部材が固定部材から脱落しないように互いを正確に重ね合せ、又は肢体等に巻いたバンド同士を重ねて接合する必要がある。例えば、創傷を負った本人の背中のように、本人の目の届かない箇所に創傷がある場合、他者の手助けが無ければ、予め保護部材と固定部材とを接合する作業を本人が手元で行ってから、これら接合済みの保護部材と固定部材とを背中の創傷に重ね合せなければならない。また、保護部材と固定部材との接合は、指先を使う作業であるため、本人が指に創傷を負った場合、同作業を本人が手際良く行えないという不都合がある。
【０００６】
本発明は、以上の問題に鑑みて成されたものであり、創傷の保護に役立ち、しかも簡便に使用できる創傷プロテクタを提供することを目的とする。
【課題を解決するための手段】
【０００７】
本発明は、創傷を被覆する創傷プロテクタに係るものであって、前記創傷に重ね合され前記創傷に間隙を隔てる凹面を有する被覆部と、該被覆部から延出し前記創傷の周囲に貼付けられる皮接部とを、一体に接合したことを特徴とする。
【０００８】
更に、本発明に係る創傷プロテクタは、前記間隙に空気を導入する通気孔を、前記被覆部に設けたことを特徴とする。
【０００９】
更に、本発明に係る創傷プロテクタは、前記通気孔を通気性フィルムで塞いだことを特徴とする。或いは、前記被覆部が通気性フィルムから成ることを特徴とする。
【００１０】
本発明に係る創傷プロテクタは、開放端を有する中空頭部に、前記開放端の周縁から延出する鍔を設けた略ハット形の本体を備え、前記中空頭部の開放端が創傷に重ね合わせられ、前記鍔に、前記創傷の周囲に粘着する粘着面が形成されたことを特徴とする。
【発明の効果】
【００１１】
例えば、皮膚を切る等した場合、このような創傷を、本発明に係る創傷プロテクタの被覆部の周縁で囲繞できるように、創傷の真上に被覆部を重ね合せる。この状態で、被覆部の周縁の内側は、創傷に間隙を隔てる凹面とされているので、被覆部が創傷に接触することがない。従って、当該創傷プロテクタが創傷に癒着するのを未然に防止できるので、身体の治癒能力を最大限に発揮させ、創傷の治癒を早めることができる。
【００１２】
しかも、被覆部から延出した皮接部を、創傷の周囲の皮膚に貼付ければ、当該創傷プロテクタを皮膚に固定することができる。従って、当該創傷プロテクタによれば、被覆部を皮膚に貼付けるための粘着テープ、又は絆創膏等を準備する手間が省けるという利点がある。また、被覆部と皮接部とは一体に接合されているので、創傷の治療を行うに際して両者を接合するという煩雑な作業を省略することができる。
【００１３】
更に、中空頭部の開放端の周縁から鍔を延出した略ハット形の本体は、曲げ又は捩じり方向の外力に対する剛性が比較的高いので、被覆部の凹面と創傷と間に、間隙を確保し続けることができる。従って、当該創傷プロテクタが創傷に癒着するのを未然に防止することで達成できる上記の効果を、長く持続することができ、また創傷を衝撃等の外的刺激から保護することができる。
【００１４】
更に、被覆部に設けた通気孔を通して、被覆部の外部の空気を創傷と凹面との間隙に導入する場合、創傷の近傍を良好に換気することができる。これにより、創傷の近傍から湿気を除去できるので、創傷の乾燥を促して、創傷の治癒を早めることができる。しかも、当該創傷プロテクタの製造工程で、通気孔の開口面積の広さを変えるだけで、被覆部の外部から創傷と凹面との間隙へ導入できる空気の流量を所望に調整することができる。
【００１５】
或いは、本発明に係る創傷プロテクタの被覆部が通気性フィルムから成る場合、空気又は発汗等の水蒸気は通気性フィルムを透過できるので、上記と同様に創傷の近傍から湿気を除去し、創傷の治癒を早めることができる。しかも、通気性フィルムの特性として、水等の液体、雑菌、又は埃等を遮断できるので、創傷が化膿する等の不具合を予防することができる。
【００１６】
同様に、上記の通気孔を通気性フィルムで塞いだ場合も、この通気性フィルムによって水等の液体、雑菌、又は埃等を遮断できるので、創傷が化膿する等の不具合を予防することができる。
【発明を実施するための最良の形態】
【００１７】
本発明の実施形態に係る創傷プロテクタを図面に基づき説明する。以下で、実施例１，２に共通する要素には、図中に同じ符号を付すものとする。
【実施例１】
【００１８】
図１（ａ），（ｂ）は、創傷Ｐを被覆する創傷プロテクタＡを示している。創傷プロテクタＡは、創傷Ｐを囲繞できる周縁１を有し周縁１の内側が創傷Ｐに間隙２を隔てる凹面３である被覆部４と、被覆部４から延出し創傷Ｐの周囲の皮膚Ｓに貼付けられる皮接部５とを、一体に接合したものである。
【００１９】
創傷プロテクタＡを製造する手順は何ら限定されることはなく、被覆部４と皮接部５とを個別に作成した後、これらを一体に接合することで完成させて良い。或いは、製造単価を下げる観点から、射出成形により可撓性の合成樹脂を原料として、被覆部４と皮接部５とを不離一体に形成することが望ましい。この場合、図２（ａ），（ｂ）に示すような略ハット形の本体６を先ずは製造する。本体６は、開放端を有する中空頭部６０に、その開放端の周縁１から延出する鍔６１を設けた形状である。中空頭部６０は、図１（ａ）に示した被覆部４として利用できる部位である。
【００２０】
鍔６１に、創傷Ｐの周囲の皮膚Ｓに粘着する粘着剤を塗布、又はコーティングすることにより、鍔６１に粘着面７を形成すれば、鍔６１は図１（ａ）に示した皮接部５となる。また、図２（ｃ）に示すように、鍔６１の複数箇所をその径方向に切込めば、図１（ａ）に示した皮接部５を複数の皮接片５０に分割できる。これにより、個々の皮接片５０が皮膚Ｓの起伏に従って傾斜するような皮接部５の変形が可能となるので、皮接部５の全体の柔軟性が向上し、皮接部５を皮膚Ｓに一層密着させることができる。
【００２１】
創傷プロテクタＡによれば、皮膚Ｓが例えば炎症、火傷、又は皮膚Ｓを切る等した場合に、このような創傷Ｐを被覆部４の周縁１で囲繞できるように、創傷Ｐの真上に被覆部４を重ね合せると、図１（ｂ）に示すように、皮膚Ｓに粘着面７が密着するので、創傷プロテクタＡを皮膚Ｓに固定できる。この状態で、被覆部４の凹面３が創傷Ｐに接触することはないので、創傷プロテクタＡが創傷Ｐに癒着するのを未然に防止することができる。
【００２２】
従って、身体の治癒能力を最大限に発揮させ、創傷Ｐの治癒を早めることができる。また、創傷プロテクタＡによれば、被覆部４を皮膚Ｓに貼付けるための粘着テープ、又は絆創膏等を準備する手間が省けるという利点がある。また、上記の通り被覆部４と皮接部５とは一体であるため、創傷Ｐの治療を行うに際して両者を接合するという煩雑な作業を省略することができる。
【００２３】
また、創傷プロテクタＡを皮膚Ｓに固定した後で身体と共に皮膚Ｓが動くことがあれば、創傷プロテクタＡに曲げ、又は捩じり方向の外力が加わるが、略ハット形の本体６は、曲げ又は捩じり方向の外力に対する剛性が比較的高いので、創傷プロテクタＡは所期の形状を維持することができる。これにより、被覆部４の凹面３を創傷Ｐから離したまま間隙２を確保できるので、創傷プロテクタＡが創傷Ｐに癒着するのを未然に防止することで達成できる上記の効果を、長く持続することができる。
【００２４】
以上に述べた被覆部４の剛性と皮接部５の柔軟性との両立は、本体６の形状に基づき達成されるので、本体６を製造する場合に、その原料の物理的性質を特に考慮しなくても良い。従って、創傷プロテクタＡの原料の種類が制限されることはない。また、本体６は衝撃等の外的刺激から創傷Ｐを保護する役割を果たすこともできる。また、創傷プロテクタＡを皮膚Ｓに固定した状態で、被覆部４の周縁１の外側の皮膚Ｓが伸縮しても、被覆部４は、周縁１の内側の皮膚Ｓが伸縮するのを抑制する支持体の役割を果たすので、例えば創傷Ｐが切り傷である場合に、この切り傷が開くのを予防できるという利点がある。
【００２５】
更に、被覆部４には１つ以上の通気孔８を設けることが好ましい。図示の通気孔８は円形であるが、通気孔８の個数又は形状は何ら限定されることはない。被覆部４が金属メッシュ、織布、又は紙等から成る場合は、これらの目又は繊維の隙間が通気孔８の代わりとなる。被覆部４は、その外部の空気を通気孔８を通して間隙２へ導入し、同時に間隙２から空気を排出することにより、創傷Ｐの近傍を良好に換気することができる。これにより、創傷Ｐの近傍に滞留する湿気を除去できるので、創傷Ｐの乾燥を促して、創傷Ｐの治癒を早めることができる。
【００２６】
また、被覆部４の外部から通気孔８を通って間隙２へ導入できる空気の流量は、通気孔８の開口面積の広さで決まるので、創傷プロテクタＡの製造工程で、通気孔８の個数、又は個々の通気孔８の開口面積の広さを増減するだけで、上記の流量を容易に調整できる。これにより、創傷Ｐが過剰に空気に曝されない程度に、又は創傷Ｐの乾燥が妨げられない程度に、創傷Ｐの近傍を絶妙な度合で換気することができる。
【実施例２】
【００２７】
図３（ａ）は、通気孔８を通気性フィルム９で塞いだ創傷プロテクタＢを示している。図３（ｂ）は、凹面３に１枚の通通気性フィルム９を貼付けることにより、複数の通気孔８を１枚の通通気性フィルム９で塞いだ例を示している。
【００２８】
通通気性フィルム９としては、厚みが０．０２５ｍｍから０．１ｍｍ程度のポリウレタン、ポリオレフィン、ポリエステル、又はポリ塩化ビニル等の薄膜を適用しても良い。このような通気性フィルム９は、空気又は発汗等の水蒸気を自由に透過させるので、創傷プロテクタＢによれば、被覆部４の外部の空気を間隙２へ導入し、同時に間隙２から空気を排出することにより、創傷Ｐの近傍を良好に換気することができる。これにより、創傷Ｐの近傍に滞留する湿気を除去できるので、創傷Ｐの乾燥を促して、創傷Ｐの治癒を早めることができる。
【００２９】
しかも、通気性フィルム９の特性として、水等の液体、雑菌、又は埃等のように、創傷Ｐに悪影響を及ぼすものが間隙２へ侵入するのを遮断できるので、創傷Ｐが化膿する等の不具合を予防することができる。或いは、塵や埃等のような異物が間隙２へ侵入するのを阻止するだけで足りるならば、通気性フィルム９に代えて細目のガーゼ、綿布、又は網等を用いて通気孔８を塞いでも良い。
【００３０】
尚、本発明は、その趣旨を逸脱しない範囲で当業者の知識に基づき種々なる改良、修正、変形を加えた態様で実施できる。例えば、創傷プロテクタＡ，Ｂの全体、又は被覆部４が通気性フィルム９から成るものであっても良い。或いは、創傷プロテクタＡ，Ｂの全体、又は被覆部４が金属メッシュ、合成樹脂製の網、ゴム、皮革、織布、不織布、又は紙等から成るものであっても良い。
【００３１】
或いは、本体６が形状記憶繊維から成るものであっても良く、被覆部４又は皮接部５の何れか一方が形状記憶繊維から成るものであっても良い。この場合、創傷プロテクタＡ，Ｂを洗濯した後で、又は誤って潰した後で、創傷プロテクタＡ，Ｂが所期の形状に簡単に復帰するという利点が得られる。形状記憶繊維としては、例えばウレタン化合物、アクリル化合物、又はシリコン化合物のように、ガラス転移点が３０℃前後の形状記憶樹脂を原料とした不織布又織布を適用できる。
【００３２】
更に、図４（ａ），（ｂ）に示すように、柔軟性に富んだシリコンリング１１をパッキン材として周縁１に取付け、シリコンリング１１を皮膚Ｓに密着させることにより、被覆部４の内側（間隙２）の気密性を向上させても良い。また、被覆部４が図１，３のような円盤状である必要はなく、図５（ａ）に示すように、被覆部４は偏平な直方体であっても良く、皮接部５は、一対の皮接片５０をそれぞれ被覆部４の両側から延出したものであっても良い。
【００３３】
その他、図５（ｂ）に示すように、被覆部４にその内側を開閉できる蓋体１２を設けても良い。蓋体１２を図示のように開放すれば、皮接部５を皮膚Ｓから剥がさなくても、被覆部４の開口１３を経て創傷Ｐの消毒等を適時行うことができる。図５（ｃ）に示すように、被覆部４は、創傷Ｐを負った指先を挿入できる指サックであっても良い。この場合、皮接部５は指の周面に貼り付けられる。創傷プロテクタＡ，Ｂを使用しないとき、又は流通の途中では、皮接部５の粘着面７に剥離フィルム等が着脱自在に貼り付けられる。また、粘着面７に頼らず、本体６を粘着テープ又は包帯等によって皮膚Ｓに固定することもできる。
【産業上の利用可能性】
【００３４】
本発明係る創傷プロテクタは、人畜への使用を問わず、感染した皮膚、又は瘡腫を外的刺激から保護するのにも利用できる。
【図面の簡単な説明】
【００３５】
【図１】（ａ）は本発明の実施例１に係る創傷プロテクタの斜視図、（ｂ）はその使用例を示す断面図。
【図２】（ａ）は本発明の実施例１に係る創傷プロテクタの本体の外観を示す斜視図、（ｂ）はその一部を破断した斜視図、（ｃ）はその内側を示す斜視図。
【図３】本発明の実施例２に係る創傷プロテクタの斜視図、（ｂ）はその使用例を示す断面図。
【図４】本発明の実施例２に係る創傷プロテクタ及びシリコンリングの使用例を示す断面図、（ｂ）はシリコンリングの斜視図。
【図５】（ａ）は本発明の実施形態に係る創傷プロテクタの一の変形例を示す斜視図、（ｂ）はその他の変形例を示す斜視図、（ｃ）はその更なる変形例を示す断面図。
【符号の説明】
【００３６】
Ａ，Ｂ：創傷プロテクタ
１：周縁
２：間隙
３：凹面
４：被覆部
５：皮接部
６：本体
７：粘着面
８：通気孔
９：通気性フィルム
６０：中空頭部
６２：鍔
Ｐ：創傷
Ｓ：皮膚
【図１】
2007044103.tif 000003
【図２】
2007044103.tif 000004
【図３】
2007044103.tif 000005
【図４】
2007044103.tif 000006
【図５】
2007044103.tif 000007